(57)【要約】【課題】診断効率を高めることができる超音波診断装置を提供する。【解決手段】操作卓に対して移動可能な可動入力手段を有する超音波診断装置１であって、操作卓１１で押下されたスイッチからの入力信号に基づいて、文字入力が必要かどうかを判定する判定制御手段１０と、可動入力手段の搬出および搬入を行う搬入出手段１２とを備え、判定制御手段１０は、文字入力が必要と判断した場合には搬入出手段１２に可動入力手段を搬出するように指示し、文字入力が不要であると判定した場合には搬入出手段１２に可動入力手段を搬入するよう指示する。【選択図】  図１
2005287754.tif 000002
【特許請求の範囲】
【請求項１】
操作卓に対して移動可能な可動入力手段を有する超音波診断装置であって、
前記操作卓で押下されたスイッチからの入力信号に基づいて、文字入力が必要かどうかを判定する判定制御手段と、
前記可動入力手段の搬出および搬入を行う搬入出手段とを備え、
前記判定制御手段は、文字入力が必要と判断した場合には前記搬入出手段に前記可動入力手段を搬出するように指示し、文字入力が不要であると判定した場合には前記搬入出手段に前記可動入力手段を搬入するよう指示することを特徴とする超音波診断装置。
【請求項２】
書き換え可能な文字入力判定データの保存テーブルを有し、
前記判定制御手段は前記操作卓で押下されたスイッチからの入力信号に基づいて前記保存テーブルを参照して、文字入力が必要かどうかを判定する請求項１に記載の超音波診断装置。
【請求項３】
タッチパネルを有する超音波診断装置であって、
操作卓で押下されたスイッチからの入力信号に応じて、前記タッチパネルにおいてどのような有効文字入力を表示する必要があるかを判定する判定制御手段と、
前記タッチパネルにおける有効文字入力を表示する文字入力切替手段とを備え、
前記判定制御手段は、前記文字入力切替手段に、表示すべき有効文字入力を表示するように指示することを特徴とする超音波診断装置。
【請求項４】
書き換え可能なタッチパネル有効判定データの保存テーブルを有し、
前記判定制御手段は前記操作卓で押下されたスイッチからの入力信号に基づいて前記保存テーブルを参照して、どのような有効文字入力を表示する必要があるかを判定する請求項３に記載の超音波診断装置。
【発明の詳細な説明】
【技術分野】
【０００１】
本発明は、医療用の超音波診断装置に関するものである。
【背景技術】
【０００２】
従来の超音波診断装置は、患者情報および臓器名称などのテキストデータを入力する際、操作卓から手動で、入力手段であるキーボードを前に引き出し搬出してから使用する必要があった。また、キーボードが不要になった場合はキーボードを押し込み操作卓の下に搬入しなければならなかった。図１２は、従来の操作卓およびキーボードの構成を示す側面図である。図１２に示すように、従来の超音波診断装置の操作卓１０１の下部にキーボード１０４が格納されている。テキストデータを入力する場合のように、キーボード１０４が必要な際には、ユーザ１１０は、操作卓１０１の下に格納されているキーボード１０４を手動で引き出して使用する。また、キーボード１０４を使用しない場合には、ユーザ１１０は、キーボード１０４を押し込んで、操作卓１０４の下に格納する。なお、従来の超音波診断装置は、例えば、以下の特許文献１および２に開示されている。
【特許文献１】特開２００１−３５０５６３号公報
【特許文献２】特開平１１−２２６００９号公報
【発明の開示】
【発明が解決しようとする課題】
【０００３】
しかしながら、従来の超音波診断装置においては、データを入力する際に、ユーザがキーボードを引き出すという手順が必要であるため、診断効率が悪いという問題があった。
【０００４】
本発明は、従来の問題を解決するためになされたもので、診断効率を向上させることができる超音波診断装置を提供することを目的とする。
【課題を解決するための手段】
【０００５】
上記問題を解決するために本発明の超音波診断装置は、操作卓に対して移動可能な可動入力手段（スライドキーボード）を有する超音波診断装置であって、前記操作卓で押下されたスイッチからの入力信号に基づいて、文字入力が必要かどうかを判定する判定制御手段（システム制御部）と、前記可動入力手段の搬出および搬入を行う搬入出手段（キーボード搬入出制御回路）とを備え、前記判定制御手段は、文字入力が必要と判断した場合には前記搬入出手段に前記可動入力手段を搬出するように指示し、文字入力が不要であると判定した場合には前記搬入出手段に前記可動入力手段を搬入するよう指示する。
【０００６】
このような構成により、ユーザが文字入力作業をする際、わざわざキーボードを引き出す必要がなく、さらにキーボードを格納する作業もいらない。そのため、診断効率が向上する。
【０００７】
また、好ましくは、書き換え可能な文字入力判定データの保存テーブル（書き換え可能なテーブル）を有し、前記判定制御手段は前記操作卓で押下されたスイッチからの入力信号に基づいて前記保存テーブルを参照して、文字入力が必要かどうかを判定する。
【０００８】
このような構成により、どのスイッチを押下したときに、キーボードの引き出しおよび格納が行われるかをユーザが設定することができる。
【０００９】
また、本発明の他の超音波診断装置は、タッチパネルを有する超音波診断装置であって、操作卓で押下されたスイッチからの入力信号に応じて、前記タッチパネルにおいてどのような有効文字入力を表示する必要があるかを判定する判定制御手段（システム制御部）と、前記タッチパネルにおける有効文字入力を表示する文字入力切替手段（タッチパネル制御回路）とを備え、前記判定制御手段は、前記文字入力切替手段に、表示すべき有効文字入力を表示するように指示する。
【００１０】
このような構成により、有効文字入力が表示されることで、ユーザは次の動作が明瞭になるため、診断効率を向上させることができる。
【００１１】
また、好ましくは、書き換え可能なタッチパネル有効判定データの保存テーブル（書き換え可能なテーブル）を有し、前記判定制御手段は前記操作卓で押下されたスイッチからの入力信号に基づいて前記保存テーブルを参照して、どのような有効文字入力を表示する必要があるかを判定する。
【００１２】
このような構成により、どのスイッチを押下したときに、タッチパネルが有効文字入力表示に切り替わるかをユーザが設定できる。
【発明の効果】
【００１３】
本発明によれば、診断効率を向上させることができる超音波診断装置を提供することを可能とする。
【発明を実施するための最良の形態】
【００１４】
以下、本発明の実施の形態について、図面を用いて説明する。
【００１５】
（実施の形態１）
本発明の実施の形態１に係る超音波診断装置について図１〜図３を参照して説明する。図１は本発明の実施の形態１の超音波診断装置の一構成例を示すブロック図である。また、図２は本発明の実施の形態１に係る可動入力手段が搬入されている状態の側面図である。また、図３は本発明の実施の形態１に係る可動入力手段が搬出されている状態の側面図である。
【００１６】
超音波診断装置１は、システム制御部１０（判定制御手段）、操作卓１１、キーボード搬入出制御回路１２（搬入出手段）およびキーボード搬入出制御機構１３を備えている。システム制御部１０は、操作卓１１上に設置されているスイッチ１６が押下されることで出力する入力信号に基づいて、操作卓１１の下に格納されている操作卓１１に対して移動可能なスライドキーボード１４（可動入力手段）が引き出（搬出）される必要があるか、または引き出されているスライドキーボード１４が操作卓１１の下に格納（搬入）される必要があるかを判定後、工程の処理動作を選択する。なお、スライドキーボード１４は、スライドレール１５に沿って可動である。
【００１７】
システム制御部１０は、判定結果に基づいて、キーボード搬入出制御回路１２にスライドキーボード１４を搬入する必要があるかどうか、または搬出する必要があるかどうかを指示する。スライドキーボード１４を搬出または搬入する必要がある場合には、キーボード搬入出制御回路１２は、キーボード搬入出制御機構１３を用いて、スライドキーボード１４を搬出または搬入する。
【００１８】
以上のように構成された超音波診断装置１の動作について、さらに図４を加えて説明する。図４は本発明の実施の形態１に係る可動入力手段の動作説明のためのフロー図である。
【００１９】
まず、ステップ４０１で、操作卓１１上にある任意に機能を割り付けられたスイッチ１６が押下されると、ステップ４０２に進み、スイッチ１６からの入力信号に基づいてシステム制御部１０は文字入力（キー入力）が必要かどうかを判定（キー入力判定）する。システム制御部１０は、あらかじめ決められたパターンの条件判定テーブルが記憶されたメモリを内蔵していて、入力信号に基づいてそのテーブルを参照してキー入力判定を行う。システム制御部１０で判定した結果、スイッチ１６により指示された操作がキー入力を必要とすると判定された場合、ステップ４０３に進み、システム制御部１０は、キーボード搬入出制御回路１２にスライドキーボード１４を搬出するように指示を与える。キーボード搬入出制御回路１２は、モータを内蔵したキーボード搬入出制御機構１３を動作させて、スライドキーボード１４を操作卓１１の下の収納位置から入力作業可能な位置まで搬出する。なお、文字入力を必要とする操作とは、例えば、患者情報入力画面および注釈入力画面を表示する操作である。押下されたスイッチ１６がこのような操作を指示する場合は、前述のようにスライドキーボード１４が搬出される。
【００２０】
また、ステップ４０２でキー入力が不要であると判定された場合、ステップ４０４に進み、システム制御部１０は、キーボード搬入出制御回路１２にスライドキーボード１４を搬入するように指示を与える。キーボード搬入出制御回路１２は、キーボード搬入出制御機構１３を動作させて、スライドキーボード１４を操作卓１１下の収納位置まで搬入する。
【００２１】
さらに、キー入力が必要でもなく、かつキー入力が不要でもない場合は、ステップ４０２でその他と判定され、処理を終了する。この場合は、スライドキーボード１４は動作しない。
【００２２】
なお、スライドキーボード１４を搬入出するキーボード搬入出制御機構１３にはモータだけでなく、例えば、スプリング、ポンプおよび磁気などの駆動機構を用いてもよい。
【００２３】
このように実施の形態１に係る超音波診断装置１は、ユーザが操作卓１１上にあるスイッチ１６を押下することで、スイッチ１６が指示する操作がキー入力の必要があるかどうかによりスライドキーボード１４が自動的に搬入出される。そのため、ユーザが自らスライドキーボード１４を引き出したり、押し込んだりして、スライドキーボード１４の搬入出を行う必要がないため、診断効率を向上させることができる。
【００２４】
（実施の形態２）
本発明の実施の形態２に係る超音波診断装置について図５に加えて図２および図３を用いて説明する。図５は本発明の実施の形態２に係る超音波診断装置の一構成例を示すブロック図である。
【００２５】
図５に示すように、実施の形態２に係る超音波診断装置２は、図１の実施の形態１に係る超音波診断装置１に、さらに書き換え可能なテーブル２７が設けられた構成である。図５において、図１と同じ構成および機能を有する部分については、同一の符号または記号を付して説明を省略する。
【００２６】
書き換え可能なテーブル２７（書き換え可能な文字入力判定データの保存テーブル）は、どのようなスイッチ１６を押した時にスライドキーボード１４の搬出および搬入をするかを表す判定データをあらかじめ記憶していて、さらにその判定データは容易に書き換えが可能である。システム制御部１０は、押下されたスイッチ１６からの入力信号に基づいて、書き換え可能なテーブル２７を参照して、キー入力判定を行う。そして、キーボード搬入出制御回路１２を制御し、キーボード搬入出制御機構１３でスライドキーボード１４の搬出または搬入を操作する。
【００２７】
なお、システム制御部１０が書き換え可能なテーブル２７を有する構成であってもかまわない。具体的には、例えばシステム制御部１０がメモリを内蔵しており、そのメモリに書き換え可能なテーブル２７が記憶されていてもよい。
【００２８】
以上のように構成された超音波診断装置２について、表１を用いて動作を説明する。
【００２９】
表１は書き換え可能なテーブル２７の中身の一例を示している。
【００３０】
【表１】
2005287754.tif 000003
【００３１】
この表１に示されている、条件に応じた判定データは、ユーザが任意に書き換えが可能である。例えば、表１のようなテーブルの場合、スライドキーボード１４が引き出されている状態でユーザが「新患者キー」を押下するとスライドキーボード１４が搬入され、「注釈入力キー」を押下するとスライドキーボード１４が搬出される。また、他に「患者情報入力キー」、「レポート画面キー」および「計測キー」に対する搬入出が書き換え可能なテーブル２７に書き込まれている。
【００３２】
この書き換え可能なテーブル２７の内容は書き換え可能である。例えば、書き込まれている押下するスイッチ１６に対する搬入出を変更してもよく、また、押下するスイッチ１６の種類を変更してもよい。
【００３３】
実施の形態２に係る超音波診断装置２は、ユーザが任意に設定した条件や判定に応じて、スライドキーボード１４の搬入出制御を自動で行うことができる。そのため、ユーザの作業手順の際に生じるスライドキーボード１４の手動での搬入出操作がなくなり、診断効率を向上させることができる。
【００３４】
（実施の形態３）
次に、本発明の実施の形態３に係る超音波診断装置について図６および図７を用いて説明する。図６は本発明の実施の形態３に係る超音波診断装置の一構成例を示すブロック図である。また、図７は本発明の実施の形態３に係る超音波診断装置の正面図である。
【００３５】
超音波診断装置３は、システム制御部３０（判定制御手段）、操作卓３１、タッチパネル制御回路３８（文字入力切替手段）およびタッチパネル表示部３９を備えている。システム制御部３０は、操作卓３１上に設置されていて押下されるスイッチ３６からの入力信号に基づいて、タッチパネル表示部３９に有効文字入力を表示するかどうかを判定する。
【００３６】
システム制御部３０は、判定結果に基づいて、タッチパネル制御回路３８にどのような有効文字入力を表示するかを指示する。タッチパネル制御回路３８は、その指示に応じて、タッチパネル表示部３９に有効文字入力を表示する。
【００３７】
以上のように構成された超音波診断装置３の動作について、さらに図８を加えて説明する。図８は本発明の実施の形態３に係るタッチパネル表示の動作説明のためのフロー図である。
【００３８】
まず、ステップ８０１で操作卓３１上にある任意のスイッチ３６が押下されると、ステップ８０２に進み、スイッチ３６からの入力信号に基づいてシステム制御部３０は有効文字入力を表示する必要があるかどうかの判定（有効文字入力表示判定）を行う。システム制御部３０は、あらかじめ決められたパターンの条件判定テーブルが記憶されたメモリを内蔵していて、入力信号に基づいてそのテーブルを参照して有効文字入力表示判定を行う。システム制御部３０で判定した結果、スイッチ３６により指示された操作に対して、有効文字入力を表示する必要があると判定された場合、ステップ８０３に進む。ステップ８０３では、システム制御部３０が、タッチパネル制御回路３８に有効文字入力を表示するように指示し、タッチパネル制御回路３８はタッチパネル表示部３９にスイッチ３６に対応した有効文字入力を表示する。ステップ８０２で、スイッチ３６により指示された操作に対して有効文字入力を表示する必要がないと判定された場合は処理を終了する。
【００３９】
実施の形態３に係る超音波診断機３は、ユーザがスイッチ３６を押下することで、スイッチ３６が指示する操作に対応した有効文字入力を表示する。それにより、ユーザは次の動作が明瞭になり、診断効率を向上させることができる。
【００４０】
（実施の形態４）
本発明の実施の形態４に係る超音波診断装置について図９に加えて図７および図８を用いて説明する。図９は本発明の実施の形態４に係る超音波診断装置の一構成例を示すブロック図である。
【００４１】
図９に示すように、実施の形態４に係る超音波診断装置４は、図６の実施の形態３に係る超音波診断装置３に、さらに書き換え可能なテーブル４７が設けられた構成である。図９において、図６と同じ構成および機能を有する部分については、同一の符号または記号を付して説明を省略する。
【００４２】
書き換え可能なテーブル４７（書き換え可能なタッチパネル有効判定データの保存テーブル）は、どのようなスイッチ３６を押した時にタッチパネルにどの有効文字入力を表示するかを表す判定データをあらかじめ記憶していて、さらにその判定データは容易に書き換えが可能である。システム制御部３０は、押下されたスイッチ３６からの入力信号に基づいて、書き換え可能なテーブル４７を参照して、有効文字入力表示判定を行う。そして、タッチパネル制御回路３８を制御しタッチパネル表示部３９に有効文字入力を表示する。
【００４３】
なお、システム制御部３０が書き換え可能なテーブル４７を有する構成であってもかまわない。具体的には、例えばシステム制御部３０がメモリを内蔵しており、そのメモリに書き換え可能なテーブル４７が記憶されていてもよい。
【００４４】
以上のように構成された超音波診断装置４について、表２を用いて動作を説明する。
【００４５】
表２は書き換え可能なテーブル４７の中身の一例を示している。
【００４６】
【表２】
2005287754.tif 000004
【００４７】
表２に示されている、条件に応じた判定データは、ユーザが任意に書き換えが可能である。例えば、表２のようなテーブルの場合、「注釈入力キー」を押下するとキーボード入力表示および位置を示す矢印の入力を行うタッチパネル表示に切り替わる。また、他に、「新患者キー」、「患者情報入力キー」、「レポート画面キー」および「計測キー」に対する有効文字入力表示が書き換え可能なテーブル４７に書き込まれている。
【００４８】
この書き換え可能なテーブル４７の内容は書き換え可能である。例えば、書き込まれている押下するスイッチ３６に対する有効文字入力表示を変更してもよく、また、押下するスイッチ３６の種類を変更してもよい。
【００４９】
実施の形態４に係る超音波診断装置４は、ユーザが任意に設定した条件や判定に応じて、その時有効な入力文字に自動的にタッチパネル表示を切り替えることができる。それにより、ユーザは次の動作が明瞭になり、診断効率を向上させることができる。
【００５０】
(実施の形態５)
本発明の実施の形態５に係る超音波診断装置について図１０に加えて図２および図３を用いて説明する。図１０は本発明の実施の形態５に係る超音波診断装置の一構成例を示すブロック図である。
【００５１】
図１０に示すように、実施の形態５に係る超音波診断装置５は、図１の実施の形態１に係る超音波診断装置１に、さらに判定記憶部１７が設けられた構成である。図１０において、図１と同じ構成および機能を有する部分については、同一の符号または記号を付して説明を省略する。
【００５２】
判定記憶部１７は、システム制御部１０で判定された結果を任意の回数分記憶している。システム制御部１０は、あらかじめ決められたパターンの条件判定テーブルが記憶されたメモリを内蔵していて、入力信号に基づいてそのテーブルを参照してキー入力判定を行い、判定記憶部１７にその判定結果を記憶させる。システム制御部１０は、判定記憶部１７で記憶された判定結果が、あらかじめ決められた任意の回数、同じであった場合に、キーボード搬入出制御回路１２にスライドキーボード１４の搬入出を行うよう指示を与える。つまり、システム制御部１０は、判定記憶部１７で記憶されている判定結果をもとにして、キー入力判定の結果が任意の回数同じであった場合に、スライドキーボード１４の搬入出の可否を判断する。キー入力判定でスライドキーボード１４が搬出される必要があると、あらかじめ決められた回数判定された場合は、キーボード搬入出制御回路１２にスライドキーボード１４を搬出する必要があるとシステム制御部１０が指示する。また、キー入力判定でスライドキーボード１４が搬入される必要があると、あらかじめ決められた回数判定された場合は、キーボード搬入出制御回路１２にスライドキーボード１４を搬入する必要があるとシステム制御部１０が指示する。このような指示に応じて、キーボード搬入出制御回路１２はキーボード搬入出制御機構１３を動作させて、スライドキーボード１４を搬出または搬入する。
【００５３】
以上のように構成された超音波診断装置５について、さらに図１１を加えて説明する。図１１は本発明の実施の形態５に係る可動入力手段の動作説明のためのフロー図である。
【００５４】
まず、ステップ１２１で、操作卓１１上にある任意に機能を割り付けられたスイッチ１６が押下されると、ステップ１２２に進み、スイッチ１６からの入力信号に基づいてシステム制御部１０は文字入力(キー入力)が必要かどうかを判定(キー入力判定)する。システム制御部１０は、あらかじめ決められたパターンの条件判定テーブルが記憶されたメモリを内蔵していて、入力信号に基づいてそのテーブルを参照してキー入力判定を行う。システム制御部１０は、キー入力判定の結果を判定記憶部１７に記憶させ、ステップ１２３に進む。ステップ１２３で、判定記憶部１７で記憶された任意の回数分の判定結果が全て搬出だった場合、ステップ１２４に進む。ステップ１２４で、システム制御部１０は、キーボード搬入出制御回路１２にスライドキーボード１４を搬出するように指示を与える。キーボード搬入出制御回路１２は、モータを内蔵したキーボード搬入出制御機構１３を動作させて、スライドキーボード１４を操作卓１１の下の収納位置から入力作業可能な位置まで搬出する。
【００５５】
また、ステップ１２３で、判定記憶部１７で記憶された任意の回数分の判定結果が全て搬入だった場合、ステップ１２５に進む。ステップ１２５で、システム制御部１０は、キーボード搬入出制御回路１２にスライドキーボード１４を搬入するように指示を与える。キーボード搬入出制御回路１２は、モータを内蔵したキーボード搬入出制御機構１３を動作させて、スライドキーボード１４を操作卓１１の下の収納位置まで搬入する。
【００５６】
さらに、判定記憶部１７で記憶された任意の回数分の判定結果がすべて同じではなく、異なっていた場合は、ステップ１２３でその他と判定され、処理を終了する。
【００５７】
このように実施の形態５に係る超音波診断装置５は、ユーザがスイッチ１６を押下した任意の回数の結果により、スライドキーボード１４の搬入出制御を自動で行うことができる。そのため、ユーザがスイッチ１６を押下するたびにスライドキーボード１４の搬入出動作を行うことがないため、不必要な搬入出動作を減らすことができ、診断効率を向上させることができる。
【産業上の利用可能性】
【００５８】
本発明の超音波診断装置は、診断効率を向上させることができるという利点を有し、健康診断等多数の被検体を短時間で診断する必要がある際に使用される超音波診断装置として有用である。
【図面の簡単な説明】
【００５９】
【図１】本発明の実施の形態１の超音波診断装置の一構成例を示すブロック図
【図２】本発明の実施の形態１に係る可動入力手段が搬入されている状態の側面図
【図３】本発明の実施の形態１に係る可動入力手段が搬出されている状態の側面図
【図４】本発明の実施の形態１に係る可動入力手段の動作説明のためのフロー図
【図５】本発明の実施の形態２に係る超音波診断装置の一構成例を示すブロック図
【図６】本発明の実施の形態３に係る超音波診断装置の一構成例を示すブロック図
【図７】本発明の実施の形態３に係る超音波診断装置の正面図
【図８】本発明の実施の形態３に係るタッチパネル表示の動作説明のためのフロー図
【図９】本発明の実施の形態４に係る超音波診断装置の一構成例を示すブロック図
【図１０】本発明の実施の形態５に係る超音波診断装置の一構成例を示すブロック図
【図１１】本発明の実施の形態５に係る可動入力手段の動作説明のためのフロー図
【図１２】従来の操作卓およびキーボードの構成を示す側面図
【符号の説明】
【００６０】
１、２、３、４  超音波診断装置
１０、３０  システム制御部
１１、３１  操作卓
１２  キーボード搬入出制御回路
１３  キーボード搬入出制御機構
１４  スライドキーボード
１５  スライドレール
１６、３６  スイッチ
１７  判定記憶部
２７、４７  書き換え可能なテーブル
３８  タッチパネル制御回路
３９  タッチパネル表示部
１０１  操作卓
１０４  キーボード
１１０  ユーザ
【図１】
2005287754.tif 000005
【図２】
2005287754.tif 000006
【図３】
2005287754.tif 000007
【図４】
2005287754.tif 000008
【図５】
2005287754.tif 000009
【図６】
2005287754.tif 000010
【図７】
2005287754.tif 000011
【図８】
2005287754.tif 000012
【図９】
2005287754.tif 000013
【図１０】
2005287754.tif 000014
【図１１】
2005287754.tif 000015
【図１２】
2005287754.tif 000016